(57)【特許請求の範囲】
【請求項１】
ガスの導入口および導出口が上面に左右に並んで形成されたガスメータを支持するための支持装置であって、それぞれ逆Ｕ字状をなす流入側接続管および流出側接続管を備え、上記流入側接続管および上記流出側接続管は、手前側に位置する一端部が上記ガスメータの導入口と導出口とにそれぞれ接続されて、ガスメータを支持し、後側に位置する他端部にガス管がそれぞれねじ機構を介して接続され、しかも後側に位置するそれぞれの他端部が、互いに左右方向へ離れるよう、手前側に位置する一端部に対して側方へ突出させられ、上記流入側接続管および上記流出側接続管の各他端部外周面にスパナ掛け部がそれぞれ設けられていることを特徴とするガスメータの支持装置。
【請求項２】
装置本体をさらに備え、この装置本体の左右における両側部に上記流入側接続管および上記流出側接続管がそれぞれ支持固定されていることを特徴とする請求項１に記載のガスメータの支持装置。
【請求項３】
上記ガス管が柔軟なフレキシブルガス管であり、上記装置本体が、地面、壁等の固定系に支持されていることを特徴とする請求項２に記載のガスメータの支持装置。
【請求項４】
上記ガス管が地面に立設された剛性を有するガス管であることを特徴とする請求項１に記載のガスメータの支持装置。
【請求項５】
上記流入側接続管には、ガス栓が設けられていることを特徴とする請求項１〜４のいずれかに記載のガスメータの支持装置。
【発明の詳細な説明】
【０００１】
【発明の属する技術分野】
この発明は、ガスメータを支持するための支持装置に関する。
【０００２】
【従来の技術】
一般に、都市ガスを使用している各家庭には、ガスの使用量を検出するためのガスメータが設置されているが、従来、ガスメータは例えば図１５に示すように鉄製のガス管Ｇ１，Ｇ２によって支持されていた。
【０００３】
すなわち、ガス管Ｇ１は、地面Ｊに立設された支持管Ｂ１と、この支持管Ｂ１の上端部に流入側端部が螺合固定されたガス栓Ｖと、このガス栓Ｖの流出側端部に螺合固定されたストレート管Ｓ１と、このストレート管Ｓ１の上端部に螺合固定されたＵ字管Ｕ１とからなるものであり、支持管Ｂ１の下端部は地中に敷設されたガス供給管（図示せず）に接続され、Ｕ字管Ｕ１はガスメータＭのガス導入口（図示せず）に接続されている。
【０００４】
一方、ガス管Ｇ２は、地面に立設された支持管Ｂ２と、この支持管Ｂ２の上端部に螺合固定されたストレート管Ｓ２と、このストレート管Ｓ２の上端部に螺合固定されたＵ字管Ｕ２とからなるものであり、支持管Ｂ２の下端部は家庭用のガス管（図示せず）に接続され、Ｕ字管Ｕ２はガスメータＭの導出口（図示せず）に接続されている。
【０００５】
【発明が解決しようとする課題】
上記従来の支持構造においては、ガス管Ｇ１，Ｇ２を壁Ｗに沿って立設する場合、Ｕ字管Ｕ１，Ｕ２の後側の端部が手前側の端部の蔭に隠れて前方から目視することができず、しかも手前側の端部と壁Ｗとの間に挟まれているため、Ｕ字管Ｕ１，Ｕ２の後側の端部をストレート管Ｓ１，Ｓ２に螺合固定する際にその作業を行いにくいという問題があった。
【０００６】
【課題を解決するための手段】
上記の問題を解決するために、請求項１に係る発明は、ガスの導入口および導出口が上面に左右に並んで形成されたガスメータを支持するための支持装置であって、それぞれ逆Ｕ字状をなす流入側接続管および流出側接続管を備え、上記流入側接続管および上記流出側接続管は、手前側に位置する一端部が上記ガスメータの導入口と導出口とにそれぞれ接続されて、ガスメータを支持し、後側に位置する他端部にガス管がそれぞれねじ機構を介して接続され、しかも後側に位置するそれぞれの他端部が、互いに左右方向へ離れるよう、手前側に位置する一端部に対して側方へ突出させられ、上記流入側接続管および上記流出側接続管の各他端部外周面にスパナ掛け部がそれぞれ設けられていることを特徴としている。
【０００７】
この場合、上記ガスメータの支持装置が、装置本体をさらに備え、この装置本体の左右における両側部に上記流入側接続管および上記流出側接続管がそれぞれ支持固定されていることが望ましい。上記ガス管は、柔軟なフレキシブルガス管であってもよく、その場合には、上記装置本体が地面、壁等の固定系に支持される。
上記ガス管が地面に立設された剛性を有するガス管であってもよい。
また、上記流入側接続管にはガス栓を設けるのが望ましい。
【０００８】
【発明の実施の形態】
以下、この発明の実施の形態について図１〜図１４を参照して説明する。
図１〜図６はこの発明の第１の実施の形態を示すものであり、この実施の形態のガスメータの支持装置１は、図１に示すように、地面（固定系）Ｊに立設固定された支柱２と、この支柱２の上端部に連結機構４を介して支持された支持板（装置本体）３と、この支持板３の左右両端部にそれぞれ設けられた上流側接続管（流入側接続管）及び下流側接続管（流出側接続管）５，６とを備えている。
【０００９】
支持板３は、ステンレス鋼等の金属板からなるものであり、その厚さ方向を前後方向に向け、かつ長手方向を左右方向に向けて配置されている。支持板２の中央下部には凹部３１が形成されている。この凹部３１と上記支柱２の上端部との間に上記連結機構４が設けられている。
【００１０】
すなわち、図１および図３に示すように、凹部３１の上底部には、球状部材４１が固定されている。この球状部材４１は、球部４１ａと、この球部４１ａの上面に形成された雄ねじ部４１ｂとからなるものであり、雄ねじ部４１ｂを凹部２１の上底面に螺合させることによって支持板３に固定されている。球部４１ａは、支柱２の上端部内周面に形成された環状座４３に着座するようになっている。また、球部４１ａの外周には、ナット４２が外挿されている。このナット４２の上部内周面には、球部４１ａに環状に接するテーパ面４２ａが形成されている。したがって、ナット４２を支柱２の上端部外周面に螺合させて締め付けると、テーパ面４２ａが球部４１ａを環状座４３に押圧固定する。これによって、球状部材４１が支柱２に固定され、ひいては支持板３が支柱２に固定されている。しかも、球状部材４１の取付姿勢は、ナット４２を緩めることにより、三次元的全方向に調整することが可能であり、球状部材４１の取付姿勢を調整することにより、取付板３の姿勢を調整し、ひいては後述するガスメータＭの取付姿勢を水平に調整することができる。勿論、調整後にナット４２を締め付けることにより、支持板３およびガスメータＭが調整状態に固定される。
【００１１】
上記上流側接続管５は、図４に示すように、逆Ｕ字状をなしており、その内部には、一端面から他端面まで貫通するガス通路５１が形成されている。上流側接続管５は、その一端部５２を手前側に、その他端部５３を後側に位置させ、かつ両端面を下方に向けた状態に配置されており、後側の他端部５３には固定片５ａが形成されている。そして、上流側接続管５は、固定片５ａに挿通されたボルトＢによって支持板３に固定されている。
【００１２】
図２に示すように、上流側接続管５の他端部５３は、左側に向かって湾曲している。これによって、他端部５３が手前側の一端部５２に対して左方に突出している。
【００１３】
上流側接続管５の一端部５２には、ナット５４が回動自在にかつ抜け止めされて設けられている。このナット５４をガスメータＭの導入側接続管部Ｍａに螺合させて締め付けることにより、ガス通路５１とガスメータＭの導入口Ｍｂとが接続されるとともに、ガスメータＭが上流側接続管５に支持されている。したがって、ガスメータＭには、上流側接続管５を介してガスが供給される。
【００１４】
上流側接続管５の他端部５３の外周面には、断面六角形状をなすスパナ掛け部５３ａが形成されており、図６に示すように、他端部５３の内周面（ガス通路５１の他端開口部）には、テーパ雌ねじ部５３ｂが形成されている。このテーパ雌ねじ部５３ｂには、継手７が螺合固定され、この継手７を介して柔軟なフレキシブルガス管（ガス管）Ｆ１の一端部がガス通路５１に接続されている。フレキシブルガス管Ｆ１の他端部は、地中に敷設されたガス供給管（図示せず）に接続されている。したがって、ガス通路５１には、フレキシブルガス管Ｆ１を介してガスが供給される。
【００１５】
なお、継手７は、周知のものと同様に構成されているので、その構成を簡単に説明すると、継手７は、継手本体７１とナット７２とを有している。継手本体７１は、その上端面にテーパ雌ねじ部５３ｂに螺合固定されるテーパ雄ねじ部７１ａが形成され、その内部には、下端面から上方へ向かって延びる取付孔７１ｂおよびこの取付孔７１ｂの底面から本体７１の上端面まで延びる孔７１ｃが形成されている。一方、ナット７２は、取付孔７１ｂの下端開口部に螺合されている。そして、ナット７２を貫通したフレキシブルガス管Ｆ１を取付孔７１ｂに挿入した後、ナット７２を締め付けることにより、継手７にフレキシブルガス管Ｆ１が接続固定されている。
【００１６】
また、図４に示すように、上流側接続管５の中央部には、ガス栓５５が設けられている。このガス栓５５は、ガス通路５１を開閉するためのものであり、ガス通路５１を一端側（下流側）と他端側（上流側）とに二分する栓収容孔５５ａと、この栓収容孔５５ａに回動可能に収容された栓体５５ｂと、この栓体５５ｂを回動操作するためのハンドル５５ｃとを備えており、図示の状態ではガス通路５１が閉じられており、その状態からハンドル５５ｃにより栓体５５ｂをほぼ９０°回動させると、ガス通路５１が開かれるようになっている。
【００１７】
上記下流側接続管６は、図５に示すように、逆Ｕ字状をなしており、その内部には、一端面から他端面まで貫通するガス通路６１が形成されている。そして、下流側接続管６は、その一端部６２を手前側に、その他端部６３を後側に位置させ、かつ両端面を下方に向けた状態で支持板３に一体に設けられている。下流側接続管６の他端部６３は、図２に示すように、右方に湾曲している。これにより、後側の他端部６３が手前側の一端部６２に対して右方に突出している。
【００１８】
下流側接続管６の一端部６２には、ナット６４が回動自在にかつ抜け止めされて設けられている。このナット６４をガスメータＭの導出側接続管部Ｍｃに螺合させて締め付けることにより、ガス通路６１とガスメータＭの導出口Ｍｄとが接続されるとともに、ガスメータＭが下流側接続管６に支持されている。したがって、上流側接続管５を介してガスメータＭに供給されたガスは、導出口Ｍｄから下流側接続管６のガス通路６１に流入する。
【００１９】
下流側接続管６の他端部６３の外周面には、断面六角形状をなすスパナ掛け部６３ａが形成され、ガス通路６１の他端開口部たる他端部６３の内周面には、テーパ雌ねじ部（図示せず）が形成されている。このテーパ雌ねじ部には、上記上流側接続管５と同様に、継手７を介してフレキシブルガス管（ガス管）Ｆ２の一端部が接続されている。このフレキシブルガス管Ｆ１の他端部は、地中に敷設された家庭用のガス管（図示せず）に接続されている。
【００２０】
また、下流側接続管６の中央部外周面には、突出部６５が形成されている。この突出部６５の内部には、その先端面からガス通路６１の内面まで貫通する検査孔６５ａが形成されている。この検査孔６５ａは、家庭に供給されガスの圧力を検出するためのものであり、突出部６５に圧力計のガス管（図示せず）を外挿して検査孔６５ａを圧力計に接続することにより、ガスの圧力を測定することができる。しかも、ガス栓５５を開き、かつガス供給管の元栓および家庭用のガス器具を閉じた状態で所定時間放置し、所定時間経過前後における圧力の変化の有無を上記圧力計で調べることにより、元栓からガス器具までの間にガス漏れが有るか否かを検出することができる。また、ガス栓５５および家庭用のガス器具を閉じた状態で所定時間放置し、所定時間経過前後に圧力の変化が有るか否かを調べることにより、ガス栓５５からガス器具までの間にガス漏れがあるか否かを検出することができる。
【００２１】
上記構成のガスメータの支持装置１において、継手７の継手本体７１を上流側接続管５のテーパ雌ねじ部５３ｂに螺合固定する場合には、スパナ掛け部５３ａおよび継手本体７１にそれぞれスパナ（図示せず）を掛けて行う。このとき、上流側接続管５の後側の他端部５３が手前側の一端部５２に対して左方へ突出しているので、スパナをスパナ掛け部５３ａおよび継手本体７１に容易に係合させることができるとともに、容易に回動操作することができる。したがって、フレキシブルガス管Ｆ１を上流側接続管５に容易に接続することができる。なお、この点は下流側接続管６に対してフレキシブルガス管Ｆ２を接続する場合も同様である。
【００２２】
また、上記構成のガスメータの支持装置１においては、支持板３を支柱２を介して地面Ｊに支持させているので、ガスメータＭは上流側接続管５および下流側接続管６を介して支持板３に支持される。したがって、ガスメータＭに接続するための２つのガス管として柔軟なフレキシブルガス管Ｆ１，Ｆ２を用いることができる。
【００２３】
さらに、この実施の形態の支持装置１においては、上流側接続管５にガス栓５５を設けているので、ガス栓を別途設置する必要がない。したがって、その分だけ配管工事を容易に行うことができる。
【００２４】
次に、この発明の他の実施の形態について説明する。なお、以下に述べる実施の形態においては、上記の実施の形態と異なる構成についてのみ説明することとし、上記の実施の形態と同様な部分には同一符号を付してその説明を省略する。
【００２５】
図７〜図９に示す実施の形態の支持装置１Ａにおいては、支持板３がその厚さ方向を上下方向に向けて配置されており、その下面中央部には、Ｌ字状をなすブラケット８がボルトＢによって固定されている。そして、このブラケット８を家屋等の上下方向に延びる垂直壁（図示せず）に固定することにより、支持板３が垂直壁（固定系）に固定されるようになっている。
【００２６】
支持板３の左端部には、上流側接続管５がその中央部において固定されている。支持板３の右端部には、下流側接続管６がその一端部６２において一体に連結されている。このような構成では、仮に支持板３が左右方向へ一直線状に延びていると、下流側接続管６の一端部６２が上流側接続管５の一端部５２より後方に位置してしまう。そこで、この実施の形態では、支持板２の右端部を前方に向けて屈曲させ、一端部５２，６２を前後方向において同一位置に位置させるようにしている。
【００２７】
また、上流側接続管５の後側の他端部５３は、湾曲しておらず、手前側の一端部５２と同一平面上に位置するように配置されている。しかし、他端部５３は、一端部５２に対して左斜め後方に位置しており、これによって一端部５２から左方に突出している。一方、下流側接続管６の他端部６３も湾曲しておらず、一端部５２に対して屈曲することによって右斜め後方に位置し、一端部５２から右方に突出している。
【００２８】
さらに、この実施の形態の支持装置１Ａにおいては、上流側接続管５および下流側接続管６の他端部５３，６３に、上記の第１の実施の形態のスパナ掛け部５３ａ，６３ａに代えて、継手７の継手本体７１に相当する継手部５３ｃ，６３ｃがそれぞれ形成されており、この継手部５３ｃ，６３ｃにフレキシブルガス管Ｆ１，Ｆ２がナット７２によりそれぞれ直接接続されるようになっている。
【００２９】
図１０〜図１２はこの発明の第３の実施の形態を示すものであり、この実施の形態の支持装置１Ｂにおいては、支持板３の左端部に半円状をなす取付部３ａが形成されており、この取付部３ａに上流側接続管５の一端部５２が嵌合され、その状態でボルトＢによって固定されている。
【００３０】
図１３および図１４はこの発明の第４の実施の形態を示すものであり、この実施の形態の支持装置１Ｃにおいては、フレキシブルガス管Ｆ１，Ｆ２に代えて、剛性を有する鉄製のガス管Ｇ１，Ｇ２が用いられている。ガス管Ｇ１，Ｇ２は、地面Ｊに立設されており、一方のガス管Ｇ１の下端部は地中に敷設された元栓側のガス管（図示せず）に接続され、他方のガス管Ｇ２の下端部は地中に敷設された家庭用のガス管に接続されている。
【００３１】
各ガス管Ｇ１，Ｇ２の上端部は、接続ナット８１，８１を介して上流側接続管５および下流側接続管６の他端部５３，６３にそれぞれ接続されている。すなわち、上流側接続管５の他端部５３の内周には、接続ナット８１の上端部が回転自在に嵌合され、止めリング８２によって抜け止めされている。上流側接続管５と接続ナット８１との間は、Ｏリング８３，８４によって気密に封止されるとともに、金属製の耐火リング８５によって封止されている。耐火リング８５は、Ｏリングが焼失したときに所定量以上の漏れを防止する。
【００３２】
接続ナット８１の下端部外周面には、断面六角形状のスパナ掛け部８１ａが形成され、下端部内周面にはテーパ雌ねじ部８１ｂが形成されている。一方、ガス管Ｇ１の上端部には、テーパ雄ねじ部Ｇａが形成されている。このテーパ雄ねじ部Ｇａにテーパ雌ねじ部８１ｂを螺合させることにより、ガス管Ｇ１が上流側接続管５に接続されている。
ガス管Ｇ２と下流側接続管も同様にして接続されている。
【００３３】
この実施の形態のガスメータの支持装置１Ｃにおいては、ガス管Ｇ１，Ｇ２がガスメータＭを上流側接続管５および下流側接続管６を介して支持する。したがって、支柱２を設ける必要がなく、その分だけ製造費を低減することができる。
【００３４】
なお、この発明は上記の実施の形態に限定されるものでなく、適宜変更可能である。
例えば、上記の実施の形態においては、継手７を接続管５，６に螺合させることにより（第１の実施の形態）、あるいは接続管５，６に継手７の本体７１に相当する継手部５３ｃ，６３ｃを形成し、この継手部５３ｃ，６３ｃにナット７２を螺合させることにより（第２、第３の実施の形態）、フレキシブルガス管Ｆ１，Ｆ２を接続管５，６に接続しているが、いわゆるワンタッチ継手を用いて接続するようにしてもよい。勿論、そのようにした場合にも、フレキシブルガス管Ｆ１，Ｆ２を上流側および下流側の接続管５，６に容易に接続することができる。
【００３５】
【発明の効果】
以上説明したように、請求項１に係る発明によれば、ガス管を上流側および下流側接続管に容易に接続することができるという効果が得られる。
請求項２に係る発明によれば、ガスメータに接続するためのガス管としてフレキシブルガス管を用いることができ、それによって配管工事を容易に行うことができるという効果が得られる。
請求項３に係る発明によれば、フレキシブルガス管を上流側および下流側接続管に接続するためのねじ機構を容易に回動操作することができるという効果が得られる。
請求項４に係る発明によれば、装置本体を地面等に支持させるための支柱等が不要であるので、その分だけ支持装置の製造費を低減することができるという効果が得られる。
請求項５に係る発明によれば、ガス栓を別途設置する必要がないので、配管作業に要する手間を軽減することができるという効果が得られる。
【図面の簡単な説明】
【図１】この発明の第１の実施の形態を示す正面図である。
【図２】同実施の形態の平面図である。
【図３】図１のＸ−Ｘ断面図である。
【図４】図１のＹ−Ｙ断面図である。
【図５】図１のＺ−Ｚ断面図である。
【図６】図１のＰ−Ｐ断面図である。
【図７】この発明の第２の実施の形態を示す平面図である。
【図８】同実施の形態の正面図である。
【図９】同実施の形態の左側面図である。
【図１０】この発明の第３の実施の形態を示す平面図である。
【図１１】同実施の形態の正面図である。
【図１２】同実施の形態の左側面図である。
【図１３】この発明の第４の実施の形態を示す正面図である。
【図１４】図１３のＸ−Ｘ線に沿う拡大断面図である。
【図１５】ガスメータの従来の支持構造を示す図であって、図１５（Ａ）はその正面図、図１５（Ｂ）はその側面図である。
【符号の説明】
Ｆ１  フレキシブルガス管
Ｆ２  フレキシブルガス管
Ｇ１  （剛性を有する）ガス管
Ｇ２  （剛性を有する）ガス管
Ｊ  地面（固定系）
Ｍ  ガスメータ
Ｍｂ  ガス導入口
Ｍｄ  ガス導出口
Ｗ  垂直壁（固定系）
１  ガスメータの支持装置
１Ａ  ガスメータの支持装置
１Ｂ  ガスメータの支持装置
１Ｃ  ガスメータの支持装置
３  支持板
５  上流側接続管
６  下流側接続管
５２  手前側の一端部
５３  後側の他端部
５５  ガス栓
６２  手前側の一端部
６３  後側の他端部
【図１】
0003589571.tif 000002
【図２】
0003589571.tif 000003
【図３】
0003589571.tif 000004
【図４】
0003589571.tif 000005
【図５】
0003589571.tif 000006
【図６】
0003589571.tif 000007
【図７】
0003589571.tif 000008
【図８】
0003589571.tif 000009
【図９】
0003589571.tif 000010
【図１０】
0003589571.tif 000011
【図１１】
0003589571.tif 000012
【図１２】
0003589571.tif 000013
【図１３】
0003589571.tif 000014
【図１４】
0003589571.tif 000015
【図１５】
0003589571.tif 000016